(57)【要約】【課題】操縦安定性及び耐摩耗性を損なうことなく、転がり抵抗の低減が達成された空気入りタイヤ２の提供。【解決手段】このタイヤ２のプロファイルＯＬは、接地面４４と一対の側面４６とを備える。このプロファイルＯＬのうち、接地面４４と上記側面４６との境界（点ＰＢ）から最大幅を示す側面４６上の地点（点ＰＷ）までのゾーンが３つの円弧により形成される。これらの円弧は、第一円弧と、この第一円弧から半径方向略外向きに延びる第二円弧と、この第二円弧からさらに半径方向略外向きに延びる第三円弧とからなる。第二円弧の曲率半径Ｒ２の第一円弧の曲率半径Ｒ１に対する比は、１．４５以上３．２６以下である。第三円弧の曲率半径Ｒ３の第一円弧の曲率半径Ｒ１に対する比は、０．４５以上０．５６以下である。【選択図】図１
2014101054.tif 000002
【特許請求の範囲】
【請求項１】
トレッドと、それぞれがこのトレッドの端から半径方向略内向きに延びる一対のサイドウォールとを備えた空気入りタイヤであって、
このタイヤのプロファイルが、接地面とそれぞれがこの接地面から半径方向略内向きに延びる一対の側面とを備えており、
軸方向における両側面間距離の最大値がこのタイヤの最大幅であり、
上記接地面と上記側面との境界が点ＰＢとされ、上記最大幅を示す上記側面上の地点が点ＰＷとされ、上記点ＰＷを通り軸方向に延びる仮想直線が基準線とされ、上記基準線から赤道までの半径方向長さが基準長さとされ、上記点ＰＷよりも半径方向外側に位置し、かつ、上記基準線からの半径方向長さが上記基準長さの１／３に相当する上記側面上の地点が点Ｐ１とされ、上記点Ｐ１よりも半径方向外側に位置し、かつ、この点Ｐ１からの半径方向長さが上記基準長さの１／３に相当する上記側面上の地点が点Ｐ２とされ、半径方向における上記点Ｐ２と上記点Ｐ１との中間位置にある上記側面上の地点が点Ｐ３とされ、そして、半径方向における上記点Ｐ２と上記点ＰＢとの中間位置にある上記側面上の地点が点Ｐ４とされたとき、
上記プロファイルのうち、上記点ＰＢから上記点ＰＷまでのゾーンが３つの円弧により形成されており、
これらの円弧が、第一円弧と、この第一円弧から半径方向略外向きに延びる第二円弧と、この第二円弧からさらに半径方向略外向きに延びる第三円弧とからなり、
上記第一円弧が、上記点ＰＷ及び上記点Ｐ１を通り、
上記第二円弧が、上記点Ｐ１、上記点Ｐ３及び上記点Ｐ２を通り、
上記第三円弧が、上記点Ｐ２、上記点Ｐ４及び上記点ＰＢを通り、
上記第二円弧の曲率半径Ｒ２の上記第一円弧の曲率半径Ｒ１に対する比が１．４５以上３．２６以下であり、
上記第三円弧の曲率半径Ｒ３の上記第一円弧の曲率半径Ｒ１に対する比が０．４５以上０．５６以下であり、
上記第一円弧の延長線が、上記点Ｐ１と上記基準線に対して線対称な位置関係にある仮想点を通る、空気入りタイヤ。
【請求項２】
並列された多数のコードを含むベルトを備えており、
上記ベルトが上記トレッドの半径方向内側に位置しており、
上記ベルトが、内側層と、この内側層の半径方向外側に位置する外側層とを備えており、
上記外側層の軸方向幅の、上記タイヤの呼び幅に対する比が、０．６６以上０．７７以下であり、
上記外側層の軸方向幅に対する上記第三円弧の曲率半径Ｒ３の比が、０．１９以上０．２３以下である、請求項１に記載の空気入りタイヤ。
【請求項３】
上記点ＰＢと上記点Ｐ３との間に、上記側面から内向きに窪んだ凹みを備えており、
上記点Ｐ４に、上記凹みの外縁が位置しており、
上記凹みの幅が、５ｍｍ以上１５ｍｍ以下であり、
上記凹みの深さが、０．３ｍｍ以上１ｍｍ以下である請求項１又は２に記載の空気入りタイヤ。
【請求項４】
上記第二円弧の曲率半径Ｒ２が、８０ｍｍ以上１８０ｍｍ以下であり、
上記第三円弧の曲率半径Ｒ３が、２４ｍｍ以上３４ｍｍ以下であり、
上記外側層の軸方向幅が、１２８ｍｍ以上１５０ｍｍ以下である、請求項２又は３に記載の空気入りタイヤ。
【発明の詳細な説明】
【技術分野】
【０００１】
本発明は、空気入りタイヤに関する。
【背景技術】
【０００２】
環境への配慮から、近年、低燃費な車輌の開発が進んでいる。車輌には、空気入りタイヤが装着される。空気入りタイヤは、車体を支持するとともに、路面に動力を伝える役割を担っている。タイヤは、車輌の燃費性能に影響する。
【０００３】
車輌の低燃費化の達成の観点から、タイヤの開発も進んでいる。この開発では、タイヤの転がり抵抗に着目した検討がなされている。この検討の一例が、特開２００５−２１９５３７公報に開示されている。
【先行技術文献】
【特許文献】
【０００４】
【特許文献１】特開２００５−２１９５３７公報
【発明の概要】
【発明が解決しようとする課題】
【０００５】
タイヤの質量は、前述の、転がり抵抗に影響する。転がり抵抗の低減の観点から、タイヤの軽量化が検討されることがある。
【０００６】
トレッドのボリュームを低減すると、タイヤは軽くなる。この場合、トレッド面の溝は浅くなってしまう。浅い溝は、耐摩耗性に影響する。浅い溝では、排水性能が不足してしまう。
【０００７】
軽量化の観点から、薄いサイドウォールを採用することがある。薄いサイドウォールは、バルジ、デント等の外観不良を招来する恐れがある。
【０００８】
幅狭のベルトを採用すると、タイヤは軽くなる。幅狭のベルトでは、操縦安定性、耐摩耗性等の性能が阻害されてしまう。
【０００９】
本発明の目的は、操縦安定性及び耐摩耗性を損なうことなく、転がり抵抗の低減が達成された空気入りタイヤの提供にある。
【課題を解決するための手段】
【００１０】
本発明に係る空気入りタイヤは、トレッドと、それぞれがこのトレッドの端から半径方向略内向きに延びる一対のサイドウォールとを備えている。このタイヤのプロファイルは、接地面とそれぞれがこの接地面から半径方向略内向きに延びる一対の側面とを備えている。このタイヤでは、軸方向における両側面間距離の最大値がこのタイヤの最大幅である。上記接地面と上記側面との境界が点ＰＢとされ、上記最大幅を示す上記側面上の地点が点ＰＷとされ、上記点ＰＷを通り軸方向に延びる仮想直線が基準線とされ、上記基準線から赤道までの半径方向長さが基準長さとされ、上記点ＰＷよりも半径方向外側に位置し、かつ、上記基準線からの半径方向長さが上記基準長さの１／３に相当する上記側面上の地点が点Ｐ１とされ、上記点Ｐ１よりも半径方向外側に位置し、かつ、この点Ｐ１からの半径方向長さが上記基準長さの１／３に相当する上記側面上の地点が点Ｐ２とされ、半径方向における上記点Ｐ２と上記点Ｐ１との中間位置にある上記側面上の地点が点Ｐ３とされ、そして、半径方向における上記点Ｐ２と上記点ＰＢとの中間位置にある上記側面上の地点が点Ｐ４とされたとき、
上記プロファイルのうち、上記点ＰＢから上記点ＰＷまでのゾーンは、３つの円弧により形成されている。これらの円弧は、第一円弧と、この第一円弧から半径方向略外向きに延びる第二円弧と、この第二円弧からさらに半径方向略外向きに延びる第三円弧とからなる。上記第一円弧は、上記点ＰＷ及び上記点Ｐ１を通る。上記第二円弧は、上記点Ｐ１、上記点Ｐ３及び上記点Ｐ２を通る。上記第三円弧は、上記点Ｐ２、上記点Ｐ４及び上記点ＰＢを通る。上記第二円弧の曲率半径Ｒ２の上記第一円弧の曲率半径Ｒ１に対する比は、１．４５以上３．２６以下である。上記第三円弧の曲率半径Ｒ３の上記第一円弧の曲率半径Ｒ１に対する比は、０．４５以上０．５６以下である。上記第一円弧の延長線は、上記点Ｐ１と上記基準線に対して線対称な位置関係にある仮想点を通る。
【００１１】
好ましくは、この空気入りタイヤは、並列された多数のコードを含むベルトを備えている。上記ベルトは、上記トレッドの半径方向内側に位置している。上記ベルトは、内側層と、この内側層の半径方向外側に位置する外側層とを備えている。上記外側層の軸方向幅の、上記タイヤの呼び幅に対する比は、０．６６以上０．７７以下である。上記外側層の軸方向幅に対する上記第三円弧の曲率半径Ｒ３の比は、０．１９以上０．２３以下である。
【００１２】
好ましくは、この空気入りタイヤは、上記点ＰＢと上記点Ｐ３との間に、上記側面から内向きに窪んだ凹みを備えている。上記点Ｐ４に、上記凹みの外縁が位置している。上記凹みの幅は、５ｍｍ以上１５ｍｍ以下である。上記凹みの深さは、０．３ｍｍ以上１ｍｍ以下である。
【００１３】
好ましくは、この空気入りタイヤでは、上記第二円弧の曲率半径Ｒ２は８０ｍｍ以上１８０ｍｍ以下である。上記第三円弧の曲率半径Ｒ３は、２４ｍｍ以上３４ｍｍ以下である。上記外側層の軸方向幅は、１２８ｍｍ以上１５０ｍｍ以下である。
【発明の効果】
【００１４】
本発明に係る空気入りタイヤでは、操縦安定性及び耐摩耗性を損なうことなく、転がり抵抗の低減が達成される。
【図面の簡単な説明】
【００１５】
【図１】図１は、本発明の一実施形態に係る空気入りタイヤの一部が示された断面図である。
【図２】図２は、図１のタイヤの製造の様子が示された模式図である。
【図３】図３は、図１のタイヤの一部が示された拡大断面図である。
【発明を実施するための形態】
【００１６】
以下、適宜図面が参照されつつ、好ましい実施形態に基づいて本発明が詳細に説明される。
【００１７】
図１には、空気入りタイヤ２が示されている。図１において、上下方向がタイヤ２の半径方向であり、左右方向がタイヤ２の軸方向であり、紙面との垂直方向がタイヤ２の周方向である。図１において、一点鎖線ＣＬはタイヤ２の赤道面を表わす。このタイヤ２の形状は、トレッドパターンを除き、赤道面に対して対称である。
【００１８】
このタイヤ２は、リム４に組み込まれている。このリム４は、正規リムである。このタイヤ２には、空気が充填されている。このタイヤ２の内圧は、正規内圧である。本発明では、タイヤ２の各部材の寸法及び角度は、タイヤ２が正規リムに組み込まれ、正規内圧となるようにタイヤ２に空気が充填された状態で測定される。測定時には、タイヤ２には荷重がかけられない。本明細書において正規リムとは、タイヤ２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。本明細書において正規内圧とは、タイヤ２が依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。
【００１９】
このタイヤ２は、トレッド６、サイドウォール８、クリンチ１０、ビード１２、カーカス１４、ベルト１６、インナーライナー１８及びクッション層２０を備えている。このタイヤ２は、チューブレスタイプである。このタイヤ２は、乗用車に装着される。
【００２０】
トレッド６は、半径方向外向きに凸な形状を呈している。トレッド６は、路面と接触するトレッド面２２を形成する。トレッド面２２には、溝２４が刻まれている。この溝２４により、トレッドパターンが形成されている。図示されていないが、トレッド６は、ベース層とキャップ層とを有している。キャップ層は、ベース層の半径方向外側に位置している。キャップ層は、ベース層に積層されている。ベース層は、接着性に優れた架橋ゴムからなる。ベース層の典型的な基材ゴムは、天然ゴムである。キャップ層は、耐摩耗性、耐熱性及びグリップ性に優れた架橋ゴムからなる。
【００２１】
サイドウォール８は、トレッド６の端から半径方向略内向きに延びている。サイドウォール８の半径方向外側端は、トレッド６と接合されている。サイドウォール８の半径方向内側端は、クリンチ１０と接合されている。サイドウォール８は、耐カット性及び耐候性に優れた架橋ゴムからなる。サイドウォール８は、軸方向においてカーカス１４よりも外側に位置している。サイドウォール８は、カーカス１４の損傷を防止する。
【００２２】
クリンチ１０は、サイドウォール８の半径方向略内側に位置している。クリンチ１０は、軸方向において、ビード１２及びカーカス１４よりも外側に位置している。クリンチ１０は、耐摩耗性に優れた架橋ゴムからなる。クリンチ１０は、リム４のフランジ２６と当接する。
【００２３】
ビード１２は、クリンチ１０の軸方向内側に位置している。ビード１２は、コア２８と、このコア２８から半径方向外向きに延びるエイペックス３０とを備えている。コア２８はリング状であり、巻回された非伸縮性ワイヤーを含む。ワイヤーの典型的な材質は、スチールである。エイペックス３０は、半径方向外向きに先細りである。エイペックス３０は、高硬度な架橋ゴムからなる。
【００２４】
カーカス１４は、カーカスプライ３２からなる。カーカスプライ３２は、両側のビード１２の間に架け渡されており、トレッド６及びサイドウォール８に沿っている。カーカスプライ３２は、コア２８の周りにて、軸方向内側から外側に向かって折り返されている。この折り返しにより、カーカスプライ３２には、主部３２ａと折り返し部３２ｂとが形成されている。
【００２５】
カーカスプライ３２は、並列された多数のコードとトッピングゴムとからなる。それぞれのコードが赤道面に対してなす角度の絶対値は、７５°から９０°である。換言すれば、このカーカス１４はラジアル構造を有する。コードは、有機繊維からなる。好ましい有機繊維として、ポリエチレンテレフタレート繊維、ナイロン繊維、レーヨン繊維、ポリエチレンナフタレート繊維及びアラミド繊維が例示される。カーカス１４が、２枚以上のカーカスプライ３２から形成されてもよい。
【００２６】
ベルト１６は、トレッド６の半径方向内側に位置している。ベルト１６は、カーカス１４と積層されている。ベルト１６は、カーカス１４を補強する。
【００２７】
このタイヤ２のベルト１６は、内側層３４ａ及び外側層３４ｂからなる。図１から明らかなように、外側層３４ｂは内側層３４ａの半径方向外側に位置している。軸方向において、外側層３４ｂの幅は内側層３４ａの幅よりも若干小さい。外側層３４ｂの軸方向幅は、通常、内側層３４ａの軸方向幅の０．８５倍以上１．１５倍以下である。
【００２８】
図示されていないが、内側層３４ａ及び外側層３４ｂのそれぞれは、並列された多数のコードとトッピングゴムとからなる。言い換えれば、ベルト１６は並列された多数のコードを含んでいる。各コードは、赤道面に対して傾斜している。傾斜角度の絶対値は、通常は１０°以上３５°以下である。内側層３４ａのコードの赤道面に対する傾斜方向は、外側層３４ｂのコードの赤道面に対する傾斜方向とは逆である。コードの好ましい材質は、スチールである。コードに、有機繊維が用いられてもよい。ベルト１６が、３以上の層３４を備えてもよい。
【００２９】
インナーライナー１８は、カーカス１４の内側に位置している。インナーライナー１８は、カーカス１４の内面に接合されている。インナーライナー１８は、架橋ゴムからなる。インナーライナー１８には、空気遮蔽性に優れたゴムが用いられている。インナーライナー１８の典型的な基材ゴムは、ブチルゴム又はハロゲン化ブチルゴムである。インナーライナー１８は、タイヤ２の内圧を保持する。
【００３０】
クッション層２０は、ベルト１６の端の近くにおいて、カーカス１４と積層されている。クッション層２０は、軟質な架橋ゴムからなる。クッション層２０は、ベルト１６の端の応力を吸収する。このクッション層２０により、ベルト１６のリフティングが抑制される。このクッション層２０は、トレッドルースケーシング（Ｔｒｅａｄ  Ｌｏｏｓｅ  Ｃａｓｉｎｇ；ＴＬＣ）の発生防止に寄与しうる。
【００３１】
このタイヤ２は、次のようにして製造される。図示されていないが、このタイヤ２の製造方法では、フォーマーのドラム上で、トレッド６、サイドウォール８等の部材が組み合わされる。これにより、ローカバーが得られる。ローカバーは、未架橋のタイヤ２である。ローカバーが組み立てられる工程は、成形工程とも称されている。
【００３２】
ローカバーは、モールドに投入される。このとき、ブラダーはローカバーの内側に位置している。ブラダーにガスが充填されると、ブラダーは膨張する。これにより、ローカバーは変形する。モールドが締められ、ブラダーの内圧が高められる。図２に模式的に示されているのは、このときの様子である。なお、ブラダーに代えて中子が用いられてもよい。中子は、トロイダル状の外面を備える。この外面は、空気が充填されその内圧が正規内圧の５％に保持された状態にあるタイヤ２の内面の形状に近似される。
【００３３】
図２に示されているのは、モールド３６が締められたときの様子である。モールド３６が締められると、ローカバー３８はモールド３６とブラダー４０とに挟まれて加圧される。ローカバー３８は、モールド３６及びブラダー４０からの熱伝導により、加熱される。加圧と加熱とにより、ローカバー３８のゴム組成物が流動する。加熱によりゴム組成物が架橋反応を起こし、図１に示されたタイヤ２が得られる。ローカバー３８が加圧及び加熱される工程は、架橋工程とも称されている。
【００３４】
架橋工程では、膨張したブラダー４０がモールド３６のキャビティ面４２にローカバー３８を押し付ける。ゴムは、流動し、キャビティ面４２にめり込む。これにより、タイヤ２の外面が形成される。この外面には、前述のトレッド面２２の溝２４が含まれる。サイドウォール８に文字、記号等の装飾物が設けられている場合は、この装飾物もこの外面に含まれる。
【００３５】
本発明では、外面の輪郭はプロファイルと称される。このプロファイルは、タイヤ２が正規リムに組み込まれ、正規内圧となるようにタイヤ２に空気が充填された状態で測定された寸法に基づいて決められる。なお、この外面の一部をなすトレッド面２２に溝２４がある場合は、この溝２４がないと仮定して得られる仮想トレッド面を用いてプロファイルは表される。サイドウォール８に装飾物が設けられている場合は、この装飾物がないと仮定して得られる、サイドウォール８の仮想外面を用いて、このプロファイルは表される。
【００３６】
図１において、このタイヤ２のプロファイルが実線ＯＬで表されている。このプロファイルＯＬは、接地面４４と、この接地面４４から半径方向略内向きに延びる側面４６とを備えている。図１中、点ＰＢは接地面４４と側面４６との境界を表している。この点ＰＢは、正規内圧の状態にあるタイヤ２に正規荷重を付加したときにこのタイヤ２が路面と接触している部分のうち、軸方向において最も外側に位置する端により表される。本発明では、プロファイルＯＬのうち、左側の点ＰＢ（図示されず）から右側の点ＰＢまでのゾーンが接地面４４とされる。
【００３７】
このタイヤ２は、軸方向における左右の側面４６の間において最大幅を有する。言い換えれば、軸方向における両側面４６の間の距離の最大値が、このタイヤ２の最大幅である。図１では、最大幅を示す側面４６上の地点が点ＰＷで表されている。実線ＬＢは、この点ＰＷを通り軸方向に延びる仮想直線である。本発明では、この実線ＬＢは基準線と称される。
【００３８】
図中、符号ＰＥで示されているのは接地面４４と赤道面との交点である。本発明において、この交点ＰＥは赤道と称される。実線ＬＥは、この赤道ＰＥを通り軸方向に延びる仮想直線を表している。このタイヤ２の外径は、この実線ＬＥにより規定される。
【００３９】
図１において、両矢印ＨＡは基準線ＬＢから実線ＬＥまでの半径方向長さを表している。この長さＨＡは、基準線ＬＢから赤道ＰＥまでの半径方向長さである。本発明では、この長さＨＡは基準長さと称される。
【００４０】
点Ｐ１は、点ＰＷよりも半径方向外側に位置する側面４６上の地点である。両矢印Ｈ１は、基準線ＬＢからこの点Ｐ１までの半径方向長さを表している。このタイヤ２では、長さＨ１は、基準長さＨＡの１／３である。点Ｐ１は、点ＰＷよりも半径方向外側に位置し、かつ、基準線ＬＢからの半径方向長さが基準長さＨＡの１／３に相当する側面４６上の地点である。
【００４１】
点Ｐ２は、点Ｐ１よりも半径方向外側に位置する側面４６上の地点である。両矢印Ｈ２は、点Ｐ１からこの点Ｐ２までの半径方向長さを表している。このタイヤ２では、長さＨ２は、基準長さＨＡの１／３である。点Ｐ２は、点Ｐ１よりも半径方向外側に位置し、かつ、この点Ｐ１からの半径方向長さが基準長さＨＡの１／３に相当する側面４６上の地点である。
【００４２】
図１において、点Ｐ３は、半径方向における点Ｐ２と点Ｐ１との中間位置にある側面４６上の地点である。点Ｐ４は、半径方向における点Ｐ２と点ＰＢとの中間位置にある側面４６上の地点である。
【００４３】
このタイヤ２では、外面のプロファイルＯＬのうち、点ＰＢから点ＰＷまでのゾーンは３つの円弧により形成されている。これらの円弧は、第一円弧と、第二円弧と、第三円弧とからなる。
【００４４】
第一円弧は、点ＰＷから半径方向略外向きに延びている。第一円弧は、点ＰＷ及び点Ｐ１を通る。図１において、矢印Ｒ１で示されているのは、この第一円弧の曲率半径である。
【００４５】
図１において、符号Ｐ５で示されているのは、点Ｐ１と基準線ＬＢに対して線対称な位置関係にある仮想点である。二点鎖線Ｌ１で示されているのは、第一円弧の延長線である。図から明らかなように、この第一円弧の延長線Ｌ１は仮想点Ｐ５を通る。前述したように、第一円弧は点ＰＷ及び点Ｐ１を通る。このタイヤ２では、第一円弧の中心は基準線ＬＢ上に存在している。
【００４６】
第二円弧は、第一円弧から半径方向略外向きに延びている。第二円弧は、点Ｐ１、点Ｐ３及び点Ｐ２を通る。図１において、矢印Ｒ２で示されているのは、この第二円弧の曲率半径である。このタイヤ２では、第二円弧の中心は点Ｐ１と第一円弧の中心とを通る直線上に存在している。言い換えれば、第二円弧は第一円弧と点Ｐ１において接している。点Ｐ１は、第一円弧と第二円弧との接点である。点Ｐ１は、第一円弧と第二円弧との境界でもある。
【００４７】
第三円弧は、第二円弧から半径方向略外向きに延びている。第三円弧は、点Ｐ２、点Ｐ４及び点ＰＢを通る。図１において、矢印Ｒ３で示されているのは、この第三円弧の曲率半径である。このタイヤ２では、第三円弧の中心は点Ｐ２と第二円弧の中心とを通る直線上に存在している。言い換えれば、第三円弧は第二円弧と点Ｐ２において接している。点Ｐ２は、第二円弧と第三円弧との接点である。点Ｐ２は、第二円弧と第三円弧との境界でもある。
【００４８】
このタイヤ２では、接地面４４と第一円弧との間には第三円弧及び第二円弧が存在している。従来のタイヤでは、接地面と第一円弧とが直線で繋げられる。このため、従来のタイヤでは、荷重がかけられたとき、第一円弧と直線との境界において歪みが集中する。従来のタイヤの撓みは特異である。これに対して、本発明のタイヤ２では、接地面４４は、第三円弧及び第二円弧を介して第一円弧と繋げられている。このタイヤ２は、荷重がかけられたとき、適正に撓む。このタイヤ２では、サイドウォール８が撓むことにより、変形に伴って生じるエネルギーが十分に吸収される。このタイヤ２では、転がり抵抗が低減される。
【００４９】
さらにこのタイヤ２では、点ＰＢから点Ｐ１までのゾーンにおいて、カーカス１４からプロファイルＯＬまでの距離が、従来のタイヤに比べて、適切に維持されている。このタイヤ２では、カーカス１４はプロファイルＯＬに急激に近づくことなく、徐々に近づいていく。このタイヤ２では、点ＰＢから点Ｐ１までのゾーン、言い換えれば、このタイヤ２のショルダーからバットレスまでの部分に、特異な剛性を有する部分はない。このタイヤ２では、この部分における屈曲の繰り返しが抑制されている。このタイヤ２の転がり抵抗は、従来のタイヤの転がり抵抗に比べて小さい。
【００５０】
このタイヤ２では、プロファイルＯＬの最適化により転がり抵抗の低減が達成される。このため、転がり抵抗の低減の観点から、トレッド６、サイドウォール８、ベルト１６等のボリュームを減らす必要はない。適正な仕様を有するベルト１６を有することができるので、操縦安定性及び耐摩耗性が適切に維持される。このタイヤ２では、操縦安定性及び耐摩耗性を損なうことなく、転がり抵抗の低減が達成される。
【００５１】
このタイヤ２では、第二円弧の曲率半径Ｒ２の第一円弧の曲率半径Ｒ１に対する比は１．４５以上３．２６以下である。この比が１．４５以上に設定されることにより、サイドウォール８の撓みが適正にコントロールされる。この比が３．２６以下に設定されることにより、点ＰＢから点Ｐ１までのゾーンにおける、カーカス１４からプロファイルＯＬまでの距離が適正とされたタイヤ２が得られる。このタイヤ２では、そのショルダーからバットレスまでの部分に特異な剛性を有する部分がないので、このショルダーからバットレスまでの部分における屈曲の繰り返しが抑制される。このタイヤ２では、サイドウォール８の撓みが適正にコントロールされるとともに、そのショルダーからバットレスまでの部分における屈曲の繰り返しが抑制される。このタイヤ２では、プロファイルＯＬが転がり抵抗の低減に有効に機能しうる。
【００５２】
このタイヤ２では、第三円弧の曲率半径Ｒ３の第一円弧の曲率半径Ｒ１に対する比は０．４５以上０．５６以下である。このタイヤ２では、ショルダーが一様な接地圧で路面と接触する。しかも前述したように、適正な仕様を有するベルト１６を有することができる。このプロファイルＯＬは、肩落ち摩耗のような偏摩耗の発生防止に寄与しうる。
【００５３】
図１において、両矢印ＢＷ／２は外側層３４ｂの軸方向幅の半分を表している。したがって、この外側層３４ｂの軸方向幅はＢＷで表される。
【００５４】
このタイヤ２では、その呼び幅をＲＷで表したとき、軸方向幅ＢＷの呼び幅ＲＷに対する比は０．６６以上０．７７以下が好ましい。この比が０．６６以上に設定されることにより、ベルト１６の軸方向幅が十分に確保される。このベルト１６は、操縦安定性及び耐摩耗性に寄与しうる。この比が０．７７以下に設定されることにより、ベルト１６の軸方向幅が適切に維持される。このタイヤ２では、ベルト１６の端に起因して生じるクラックの発生が効果的に防止される。このタイヤ２は、耐久性に優れる。しかもこのタイヤ２では、ベルト１６による質量への影響が効果的に抑えられる。
【００５５】
本発明では、タイヤ２のサイズに表される、幅の呼びが、呼び幅ＲＷと称されている。例えば、タイヤ２のサイズが１９５／６５Ｒ１５で表される場合には、「１９５」がこのタイヤ２の呼び幅ＲＷである。
【００５６】
このタイヤ２では、第三円弧の曲率半径Ｒ３の軸方向幅ＢＷに対する比は０．１９以上０．２３以下が好ましい。この比が０．１９以上に設定されることにより、ベルト１６の端に起因して生じるクラックの発生が効果的に防止される。このタイヤ２は、耐久性に優れる。この比が０．２３以下に設定されることにより、曲率半径Ｒ３の第三円弧を有するプロファイルＯＬからベルト１６の端までの距離が適正に維持される。このタイヤ２では、プロファイルＯＬによるタイヤ２の質量への影響が効果的に抑えられている。しかもベルト１６が適正な位置に配置されるので、このベルト１６が操縦安定性及び耐摩耗性に効果的に寄与しうる。
【００５７】
操縦安定性及び耐摩耗性を損なうことなく、転がり抵抗の低減が達成されるとの観点から、特に、このタイヤ２のサイズが１９５／６５Ｒ１５で表される場合においては、第二円弧の曲率半径Ｒ２は８０ｍｍ以上１８０ｍｍ以下が好ましい。第三円弧の曲率半径Ｒ３は２５ｍｍ以上３１ｍｍ以下が好ましい。軸方向幅ＢＷは１２８ｍｍ以上１５０ｍｍ以下が好ましい。
【００５８】
図３に示されているのは、このタイヤ２のバットレスの部分である。このタイヤ２は、プロファイルＯＬにおける、点ＰＢと点Ｐ３との間に、凹み４８を備えている。凹み４８は、側面４６から内向きに窪んでいる。凹み４８は、周方向に延在している。言い換えれば、凹み４８はリング状を呈している。図から明らかなように、この凹み４８の外縁は側面４６における点Ｐ４の地点に位置している。この凹み４８の内縁は、側面４６における点Ｐ２の地点に位置している。この凹み４８の内縁が、半径方向において点Ｐ２よりも外側に位置してもよい。この凹み４８の内縁が、半径方向において点Ｐ２よりも内側に位置してもよい。
【００５９】
前述したように、このタイヤ２には、ＴＬＣの発生防止の観点から、クッション層２０が設けられている。クッション層２０は、このタイヤ２のバットレスの部分の厚みに影響する。大きな厚みはタイヤ２の質量に影響するため、図示されているように、バットレスの部分に凹み４８が設けられるのが好ましい。言い換えれば、凹み４８はタイヤ２の軽量化に寄与しうる。
【００６０】
図３において、両矢印ＤＷは凹み４８の幅を表している。この幅ＤＷは、側面４６に沿って計測される。両矢印ＤＤは、凹み４８の深さを表している。この深さＤＤは、側面４６からこの凹み４８の底までの長さにより表される。
【００６１】
凹み４８がタイヤ２の軽量化に効果的に寄与しうるとの観点から、幅ＤＷは５ｍｍ以上が好ましく、１５ｍｍ以下が好ましい。同様の観点から、深さＤＤは０．３ｍｍ以上が好ましく、１ｍｍ以下が好ましい。
【００６２】
このタイヤ２では、凹み４８にローレット加工が施されるのが好ましい。これにより、外観不良の発生が防止される。
【実施例】
【００６３】
以下、実施例によって本発明の効果が明らかにされるが、この実施例の記載に基づいて本発明が限定的に解釈されるべきではない。
【００６４】
［実施例１］
図１に示された基本構成を備え、下記の表１に示された実施例１の空気入りタイヤを得た。タイヤのサイズは、１９５／６５Ｒ１５とされた。したがって、このタイヤの呼び幅ＲＷは、１９５ｍｍである。この実施例１では、第一円弧の曲率半径Ｒ１は５５ｍｍとされた。第二円弧の曲率半径Ｒ２は、１３０ｍｍとされた。第三円弧の曲率半径Ｒ３は、２８ｍｍとされた。ベルトの一部をなす外側層の軸方向幅ＢＷは、１４０ｍｍとされた。この実施例１では、バットレスの部分に凹みが設けられている。この凹みの幅ＤＷは、１０ｍｍとされた。この凹みの深さＤＤは、０．５ｍｍとされた。この実施例１では、半径Ｒ２の半径Ｒ１に対する比（Ｒ２／Ｒ１）は２．３５であった。半径Ｒ３の半径Ｒ１に対する比（Ｒ３／Ｒ１）は、０．５１であった。幅ＢＷの呼び幅ＲＷに対する比（ＢＷ／ＲＷ）は、０．７２であった。半径Ｒ３の幅ＢＷに対する比（Ｒ３／ＢＷ）は、０．２０であった。
【００６５】
［実施例２−１５及び比較例１−４］
半径Ｒ１、半径Ｒ２、半径Ｒ３及び幅ＢＷを変えて、比（Ｒ２／Ｒ１）、比（Ｒ３／Ｒ１）、比（ＢＷ／ＲＷ）及び比（Ｒ３／ＢＷ）を下記の表１から表４の通りとした他は実施例１と同様にして、実施例２−１５及び比較例１−４のタイヤを得た。
【００６６】
［実施例１６］
凹みを設けなかった他は実施例１と同様にして、実施例１６のタイヤを得た。
【００６７】
［実施例１７−２０］
凹みの深さＤＤを下記の表５の通りとした他は実施例１と同様にして、実施例１７−２０のタイヤを得た。
【００６８】
［実施例２１−２４］
凹みの幅ＤＷを下記の表６の通りとした他は実施例１と同様にして、実施例２１−２４のタイヤを得た。
【００６９】
［比較例５］
第一円弧と第三円弧とを円弧ではなく直線で繋げ、半径Ｒ１、半径Ｒ３及び幅ＢＷを下記の表６の通りとするとともに、凹みを設けなかった他は実施例１と同様にして、比較例５のタイヤを得た。
【００７０】
［比較例６］
幅ＢＷを変えて比（ＢＷ／ＲＷ）及び比（Ｒ３／ＢＷ）を下記の表６の通りとした他は比較例５と同様にして、比較例６のタイヤを得た。
【００７１】
［質量及び転がり抵抗］
下記の条件にて、有限要素法（Ｆｉｎｉｔｅ  Ｅｌｅｍｅｎｔ  Ｍｅｔｈｏｄ；ＦＥＭ）による解析を行い、タイヤの質量及び転がり抵抗を算出した。この結果が、比較例５を１００とした指数で下記の表１から表６に示されている。質量の指数は、数値が小さいほど軽いことを表している。転がり抵抗の指数は、数値が小さいほど転がり抵抗が小さいことを表している。したがって、転がり抵抗については、数値が小さいほど好ましい。
リム：６．０ＪＪ
内圧：２３０ｋＰａ
荷重：４．２４ｋＮ
【００７２】
［操縦安定性及び耐摩耗性］
タイヤを６．０ＪＪのリムに組み込み、このタイヤに内圧が２３０ｋＰａとなるように空気を充填した。このタイヤを、排気量が１８００ｃｃである前輪駆動の国産乗用車に装着した。ドライバーに、この乗用車をレーシングサーキットで運転させて、操縦安定性及び耐摩耗性を評価させた。この結果が、５点が満点とされた指数として下記の表１から表６に示されている。数値が大きいほど好ましい。
【００７３】
【表１】
2014101054.tif 000003
【００７４】
【表２】
2014101054.tif 000004
【００７５】
【表３】
2014101054.tif 000005
【００７６】
【表４】
2014101054.tif 000006
【００７７】
【表５】
2014101054.tif 000007
【００７８】
【表６】
2014101054.tif 000008
【００７９】
表１から表６に示されるように、実施例のタイヤでは、比較例のタイヤに比べて評価が高い。この評価結果から、本発明の優位性は明らかである。
【産業上の利用可能性】
【００８０】
以上説明されたタイヤは、種々の車輌にも適用されうる。
【符号の説明】
【００８１】
２・・・タイヤ
４・・・リム
６・・・トレッド
８・・・サイドウォール
２２・・・トレッド面
２４・・・溝
３６・・・モールド
４２・・・キャビティ面
４４・・・接地面
４６・・・側面
４８・・・凹み
【図１】
2014101054.tif 000009
【図２】
2014101054.tif 000010
【図３】
2014101054.tif 000011